(57)【要約】【課題】全体を簡素化しつつ、検査時の給水ライン内の圧力変動を防いで短時間で正確に漏水検査を実施可能な樹脂製給水ラインの漏水検査システムと漏水検査方法とを提供する。【解決手段】配管施工後における樹脂製給水ライン１の漏れを検査する樹脂製給水ラインの漏水検査システムである。この検査システムは、給水ライン１の水道メータ取付位置に接合したバルブ付きメータ代用管２６と、このメータ代用管２６に設けられた水道メータ二次側の逆止弁２１の一次側と二次側とを連通状態に解除するための弁閉解除部２７と、メータ代用管２６に接合して高精度に圧力を検出可能な圧力測定装置２８とから成っている。【選択図】      図１
2010210551.tif 000002
【特許請求の範囲】
【請求項１】
配管施工後における樹脂製給水ラインの漏れを検査する検査システムであって、この検査システムは、前記給水ラインの水道メータ取付位置に接合したバルブ付きメータ代用管と、このメータ代用管に設けられた水道メータ二次側の逆止弁の一次側と二次側とを連通状態に解除するための弁閉解除部と、前記メータ代用管に接合して高精度に圧力を検出可能な圧力測定装置とから成ることを特徴とする樹脂製給水ラインの漏水検査システム。
【請求項２】
前記圧力測定装置は、数ｍｍＡｑ〜数十ｍｍＡｑの圧力を検出可能である請求項１に記載の樹脂製給水ラインの漏水検査システム。
【請求項３】
前記給水ラインにチャッキ弁を設け、このチャッキ弁には、前記チャッキ弁の一次側と二次側とを連通状態に解除するボール弁体から成る解除機構を備えた請求項１又は２に記載の樹脂製給水ラインの漏水検査システム。
【請求項４】
配管施工後における樹脂製給水ラインの漏れを検査する漏水検査方法であって、前記給水ラインの水道メータ取付位置にバルブ付きメータ代用管を接続し、かつ、メータ二次側の逆止弁を解除した状態で、前記給水ラインに水道水圧を供給して充水させて所定期間充水状態を保持させ、その後、前記バルブ付きメータ代用管に高精度に圧力を検出可能な圧力測定装置を接合した状態でメータ代用管のバルブを介してこのメータ代用管の一次側を遮断し、かつ、二次側の給水ラインを連通状態にして所定時間圧力測定を行なって給水ラインの漏れの有無を測定するようにしたことを特徴とする樹脂製給水ラインの漏水検査方法。
【請求項５】
前記圧力測定装置は、数ｍｍＡｑ〜数十ｍｍＡｑの圧力を検出可能である請求項４に記載の樹脂製給水ラインの漏水検査方法。
【請求項６】
前記給水ラインにチャッキ弁を設け、このチャッキ弁には、前記チャッキ弁の一次側と二次側とを連通状態に解除するボール弁体から成る解除機構を備えた請求項４又は５に記載の樹脂製給水ラインの漏水検査方法。
【請求項７】
前記チャッキ弁は、給水ラインに設けた給湯器等の需要機器の一次側に設けられ、前記ボール弁体の半開状態でボール球面が逆止弁部を開状態に保持し、前記ボール弁体の全開状態では逆止弁部が正常に作動するようにした請求項６に記載の樹脂製給水ラインの漏水検査方法。
【請求項８】
前記バルブ付きメータ代用管は、水道メータ二次側の逆止弁の一次側と二次側とを連通状態に解除する突起構造と、充水時には全開、測定時には一次側を遮断し、二次側と圧力センサ取出し口とを連通するＴポートの三方弁とを有する請求項３乃至７の何れか１項に記載の樹脂製給水ラインの漏水検査方法。
【請求項９】
前記水道メータ取付位置に、一次側の支受機構と逆止弁を有する二次側の支受機構とを備えたメータユニットを設けた請求項４乃至８の何れか１項に記載の樹脂製給水ラインの漏水検査方法。
【発明の詳細な説明】
【技術分野】
【０００１】
本発明は、集合住宅等の建築物において樹脂製の給水ラインの漏れを検査する漏水検査システムに関し、特に、給水ラインとして架橋ポリエチレン管やポリブテン管等の樹脂管が使用された樹脂製給水ラインの漏水検査システムと漏水検査方法に関する。
【背景技術】
【０００２】
従来より、例えば、集合住宅等において、配管施工後には戸別に給水配管や給湯配管から成る給水ラインの漏水検査がおこなわれる。この漏水検査は、メータユニットからライン末端の水栓等の需要機器までなどの給水ライン内で実施され、この漏水検査により、接続不良等に基づく給水ラインの漏水の有無が検査される。この場合、近年では、耐食性、耐震性、施工性などの観点から、給水ラインの配管として樹脂管がいられることが多くなっている。樹脂管により構成された給水ラインを漏水検査する場合、樹脂管が柔軟であることから、管内に高圧を加えた後の時間経過に伴い、クリープ現象によって管が膨らむことで管内体積が膨張し、その結果、封入した圧力が低下する現象が発生する。この現象により、管内に発生した圧力低下が漏れか管の膨張によるものかの区別がつき難くなることがある。
【０００３】
また、樹脂管には、接合部分にゴム製Ｏリングをシール材として用いた、いわゆる、ワンタッチ継手と呼ばれるものがある。この樹脂管に短時間で高圧を加えると、パイプ外面に傷がある場合でＯリングによるセルフシール機能が作用して漏れが止まることがある。
【０００４】
これらを回避するため、例えば、特許文献１の配管の漏れ検査方法がある。同文献１には、樹脂管からなる配管に、加圧装置（ポンプ）によって検査圧力０．３ＭＰａ程度の空圧や水圧を注入し、この空圧や水圧の注入後に配管の検査部分の変形を一定にするために約５分間待機させた後に、１０分間程度に亘って管内の圧力変化を測定して漏れの有無を判定する漏れ検査方法が開示されている。このように、樹脂管を漏水検査する場合、比較的低い圧力を加えて検査することが一般的になっている。
【先行技術文献】
【特許文献】
【０００５】
【特許文献１】特開２００７−２７８７３０号公報
【発明の概要】
【発明が解決しようとする課題】
【０００６】
しかしながら、特許文献１の配管の漏れ検査方法では、以下の課題を有している。即ち、この漏れ検査方法では、配管内に空圧や水圧を供給するための検査用のポンプが別途必要になって設備が複雑化していた。また、この場合、検査用の流体として水を別途準備する必要があるため水の運搬にも労力を要し、作業場を水で濡らさないようにするために現場の養生が必要になることもあった。
【０００７】
また、この漏れ検査方法は、漏れ検査の開始から検査用ポンプで低圧流体を管内に送るようにしているために、管内に流体を充満させて判定するまでに長時間を要していた。しかも、水温や管の温度が変化することによる管内圧力の変化や、長時間の検査に伴う管のクリープ変形により圧力低下が生じることがあり、正確な漏れ検査を実施できなくなることがあった。更に、最終的な漏れの確認は、目視による検査に頼らざるを得ず、このとき、給水器具が取付けられているため、管の継手部分が壁面の内側になって目視ができなくなっていた。
【０００８】
また、実際の配管には、逆流防止用としてメータユニットの下流側に逆止弁、給湯器の上流側にチャッキ弁がそれぞれ接続されているため、検査中にこの逆止弁やチャッキ弁の二次側で漏れが発生した場合であっても、二次側の管内圧力が、逆止弁やチャッキ弁の弁開状態となる圧力（作圧）よりも上回った状態であれば弁閉状態が維持されてしまい、流路が分断されて逆止弁やチャッキ弁の一次側では漏れを検出することができなくなっていた。
【０００９】
また、検査前の充水時には、末端水栓を開閉してライン内の残留空気を排出した後にこの末端水栓を閉止するが、その際に生じる水撃圧力が逆止弁やチャッキ弁と末端水栓との間に封入されることがある。この場合、上記と同様に、逆止弁やチャッキ弁の弁閉状態が維持されてしまい、漏れを検出することができなかった。
【００１０】
本発明は、上記した実情に鑑み、鋭意検討の結果開発に至ったものであり、その目的とするところは、全体を簡素化しつつ、検査時の給水ライン内の圧力変動を防いで短時間で正確に漏水検査を実施可能な樹脂製給水ラインの漏水検査システムと漏水検査方法とを提供することにある。
【課題を解決するための手段】
【００１１】
上記目的を達成するため、請求項１に係る発明は、配管施工後における樹脂製給水ラインの漏れを検査する検査システムであって、この検査システムは、給水ラインの水道メータ取付位置に接合したバルブ付きメータ代用管と、このメータ代用管に設けられた水道メータ二次側の逆止弁の一次側と二次側とを連通状態に解除するための弁閉解除部と、メータ代用管に接合して高精度に圧力を検出可能な圧力測定装置とから成る樹脂製給水ラインの漏水検査システムである。
【００１２】
請求項２に係る発明は、圧力測定装置は、数ｍｍＡｑ〜数十ｍｍＡｑの圧力を検出可能である樹脂製給水ラインの漏水検査システムである。
【００１３】
請求項３に係る発明は、給水ラインにチャッキ弁を設け、このチャッキ弁には、チャッキ弁の一次側と二次側とを連通状態に解除するボール弁体から成る解除機構を備えた樹脂製給水ラインの漏水検査システムである。
【００１４】
請求項４に係る発明は、配管施工後における樹脂製給水ラインの漏れを検査する漏水検査方法であって、給水ラインの水道メータ取付位置にバルブ付きメータ代用管を接続し、かつ、メータ二次側の逆止弁を解除した状態で、給水ラインに水道水圧を供給して充水させて所定期間充水状態を保持させ、その後、バルブ付きメータ代用管に高精度に圧力を検出可能な圧力測定装置を接合した状態でメータ代用管のバルブを介してこのメータ代用管の一次側を遮断し、かつ、二次側の給水ラインを連通状態にして所定時間圧力測定を行なって給水ラインの漏れの有無を測定するようにした樹脂製給水ラインの漏水検査方法である。
【００１５】
請求項５に係る発明は、圧力測定装置は、数ｍｍＡｑ〜数十ｍｍＡｑの圧力を検出可能である樹脂製給水ラインの漏水検査方法である。
【００１６】
請求項６に係る発明は、給水ラインにチャッキ弁を設け、このチャッキ弁には、チャッキ弁の一次側と二次側とを連通状態に解除するボール弁体から成る解除機構を備えた樹脂製給水ラインの漏水検査方法である。
【００１７】
請求項７に係る発明は、チャッキ弁は、給水ラインに設けた給湯器等の需要機器の一次側に設けられ、ボール弁体の半開状態でボール球面が逆止弁部を開状態に保持し、ボール弁体の全開状態では逆止弁部が正常に作動するようにした樹脂製給水ラインの漏水検査方法である。
【００１８】
請求項８に係る発明は、バルブ付きメータ代用管は、水道メータ二次側の逆止弁の一次側と二次側とを連通状態に解除する突起構造と、充水時には全開、測定時には一次側を遮断し、二次側と圧力センサ取出し口とを連通するＴポートの三方弁とを有する樹脂製給水ラインの漏水検査方法である。
【００１９】
請求項９に係る発明は、水道メータ取付位置に、一次側の支受機構と逆止弁を有する二次側の支受機構とを備えたメータユニットを設けた樹脂製給水ラインの漏水検査方法である。
【発明の効果】
【００２０】
請求項１に係る発明によると、逆止弁の一次側と二次側とを連通できるため、漏水検査中に逆止弁の二次側で漏水が発生した場合に流路が分断されることがない。また、検査前の充水時においてライン内の残留空気を排出した場合にも、水撃圧力が逆止弁と末端水栓との間に封入されることがない。このため、検査時の給水ライン内の圧力変動を防いで短時間で正確に漏水検査を実施可能な樹脂製給水ラインの漏水検査システムを提供できる。
【００２１】
請求項２に係る発明によると、極僅かな圧力の変化から大きな圧力の変化までを測定でき、給水ライン内の圧力を正確に測定して漏水検査を実施することができる。
【００２２】
請求項３に係る発明によると、チャッキ弁により給水ラインの全体を連通状態に確保できるため、水撃圧力等による圧力変動の発生が防がれて安定した状態で正確に漏水検査できる樹脂製給水ラインの漏水検査システムである。
【００２３】
請求項４に係る発明によると、試験流体や加圧装置を必要としないため全体を簡素化しつつ、検査用のメータ代用管を装着して、このメータ代用管を用いて短時間で簡単且つ正確に漏水検査を実施できる樹脂製給水ラインの漏水検査方法である。この場合、漏水検査中に逆止弁の二次側で漏水が発生した場合に流路が分断されることがなく、また、検査前の充水時においても水撃圧力が逆止弁と末端水栓との間に封入されることがないため、検査時において給水ライン内の圧力変動が防がれて安定した状態で漏水検査を行える。
【００２４】
請求項５に係る発明によると、極僅かな圧力の変化から大きな圧力の変化までを測定でき、給水ライン内の圧力を正確に測定して漏水検査を実施できる樹脂製給水ラインの漏水検査方法である。
【００２５】
請求項６に係る発明によると、チャッキ弁により給水ラインの全体を連通状態に確保できるため、水撃圧力等による圧力変動の発生が防がれて安定した状態で正確に漏水検査できる樹脂製給水ラインの漏水検査方法である。
【００２６】
請求項７に係る発明によると、漏水検査時には、給水配管と給湯配管とからなる給水ライン全体と、給湯器や需要機器とを連通し、給水ライン内の圧力変動を防ぎつつ正確に圧力を測定でき、一方、通常時には、水道メータ側への逆流を防ぐようにした樹脂製給水ラインの漏水検査方法である。
【００２７】
請求項８に係る発明によると、メータ代用管を水道メータ取付け位置に接続したときに、自動的に逆止弁を解除して給水ライン全体の流路を連通状態に確保した状態で正確に漏水検査できる。また、充水時の給水ライン内の圧力を直接測定でき、しかも、測定時にメータ代用管よりも一次側の圧力の影響を受けることなく圧力測定を行ない得る樹脂製給水ラインの漏水検査方法である。
【００２８】
請求項９に係る発明によると、支受機構を利用してメータ代用管を簡単に接続することができ、しかも、メータ代用管を漏水の無い状態で接続して正確に圧力を検出できる樹脂製給水ラインの漏水検査方法である。
【図面の簡単な説明】
【００２９】
【図１】本発明における樹脂給水管の漏水検査システムの一例を示した概略模式図である
【図２】本発明における樹脂給水管の漏水検査システムの要部を示した断面図である。
【図３】メータ代用管と圧力センサとを示した断面図である。
【図４】図３のメータ代用管の流路を切換えた状態を示す断面図である。
【図５】圧力センサを示した一部切欠き拡大断面図である。
【図６】ボール弁体付きチャッキ弁を示した一部切欠き縦断面図である
【図７】図６のボール弁体付きチャッキ弁のボール弁体が半開した状態を示す横断面図である。
【図８】配管敷設時における給水ラインの状態を示した概略模式図である。
【発明を実施するための形態】
【００３０】
以下に、本発明における樹脂製給水ラインの漏水検査システムと漏水検査方法の実施形態を図面に基づいて詳細に説明する。
図１において、本発明の漏水検査システムは、配管施工後における樹脂製給水ライン１の漏れを検査するものである。給水ライン１は、例えば、集合住宅等において、図示しない給水本管からメータユニット２を介して戸別に分岐された配管であり、実線で示した給水配管１ａと一点鎖線で示した給湯配管１ｂとを有している。この給水ライン１には、メータユニット２の二次側に、洗面、台所、ユニットバス、トイレ用水栓器具、洗濯機等の需要機器３が接続されている。また、給湯器３ａは、給湯配管１ｂに接続され、給水ライン１の水を温水にして台所やユニットバスなどの需要機器３に給湯できるようになっており、また、給湯状態に無い場合でも給水配管１ａから給湯器３ａに水を流してライン全体を充水できるようになっている。また、給水ライン１において、メータユニット２よりも一次側には、後述する一次側筒状部材１５のエルボ１５ａを介して減圧弁６と止水栓７とが接続されている。
【００３１】
図２のメータユニット２は、給水ライン１への図示しない水道メータ取付け用として、例えば、図示しないパイプシャフトと呼ばれる収納スペースの水道メータ取付け位置に備えられている。このメータユニット２は、両側に保持部１０、１０が立設されたダクタイル鋳鉄製等のベース体１１と、各保持部１０、１０に設けられた一次側支受機構１２と、二次側支受機構１３とを備えている。
【００３２】
メータユニット２において、一次側支受機構１２は、保持部１０と、一次側筒状部材１５と、スライド部材１６と、回転部材１７とを有している。保持部１０には、一次側筒状部材１５が固着され、この一次側筒状部材１５にスライド部材１６が内挿されている。スライド部材１６には、図示しない水道用メータの一次側接続端部を支受けする円弧状の受け面１６ａが突設形成され、外周側に螺着された回転部材１７を回動させたときにスライド方向に進退自在になっている。更に、受け面１６ａの最下部には、スライド部材１６の進退方向に延びる案内溝１６ｂが形成され、この案内溝１６ｂに、ベース体１１の上面側に突設形成されたピン１１ａが係合されている。これにより、スライド部材１６は、回転が防止されながら、回転部材１７の回転によりスライドする。
【００３３】
一方、二次側支受機構１３は、保持部１０と、二次側筒状部材１９と、ナット部材２０とを有している。保持部１０には、二次側筒状部材１９が固着され、この二次側筒状部材１９の外周側にナット部材２０が螺着されている。ナット部材２０には、水道用メータの二次側接続端部を支受けする円弧状の受け面２０ａが突設形成されている。また、二次側支受機構１３の内部には、逆止弁２１が収納され、更に、この逆止弁２１よりも二次側の給湯器３ａの一次側には、後述する解除機構５２を有するボール弁体付きチャッキ弁２２が設けられている。
【００３４】
逆止弁２１は、内部に弁体２３とスプリング２４とを有している。弁体２３は、スプリング２４の弾発力により通常時には一次側の環状弁座２５側に付勢されて弁閉状態になっている。このため、一次側の圧力が負圧になった場合でも、この逆止弁２１により二次側の水が逆流することが防がれる。弁体２３は、軸心付近が一次側に膨出した略半球状になっている。
【００３５】
また、一次、二次側支受機構１２、１３の間には、バルブ付きメータ代用管２６が接合可能となっており、更に、このメータ代用管２６には、弁閉解除部２７と圧力測定装置２８とが配設されている。そして、漏水検査システムは、メータユニット２の水道用メータ取付け位置に取付けられたメータ代用管２６と、弁閉解除部２７と、圧力測定装置２８とから成っている。
【００３６】
図２〜図４に示すように、メータ代用管２６は、流路の方向に形成された本管部３２と、この本管部３２から略垂直方向に分岐された分岐部３３とを有している。本管部３２は、一次側管部３２ａと二次側管部３２ｂとを有し、各管部３２ａ、３２ｂにはメータユニット２と接続するための接続部（雄ねじ）３１、３１が設けられている。また、分岐部３３は、圧力を測定するために形成されている。一方、弁閉解除部２７は、本管部３２の二次側管部３２ｂ側に設けられ、本管部３２の側部の略中央から軸方向に突出した突起構造を有する突起部であり、この突起部２７が逆止弁２１の弁体２３を押圧することで、この逆止弁２１を開放状態に解除するようになっている。
【００３７】
また、メータ代用管２６内には、Ｔポート３４を有するボール３５を備えたバルブ（三方弁）３６が設けられている。ボール３５は、一対のボールシート３７、３７を介して三方弁３６の内部に装着され、図示しない外部のハンドルにより操作可能に設けられている。三方弁３６は、給水ライン１内に充水する時にボール３５を回転して本管部３２における一次側管部３２ａと二次側管部３２ｂとが連通した全開にし、更に、充水後に給水ライン１内の圧力を測定する時に一次側を遮断して、二次側と分岐部３３に設けた圧力の取出し口である圧力測定口３８とを連通するようになっている。
【００３８】
また、分岐部３３の内部には、スプリング部材３９を介してニードル部材４０が装着されている。ニードル部材４０は、通常時においては、スプリング部材３９の弾発力と、メータ代用管２６内に充水された水の圧力により図において上方に付勢し、このスプリング部材３９に装着されたＯリング４１が分岐部３３内部のシール弁座４２に密接シールしている。このため、通常時には圧力測定口３８は塞がれた状態にある。
なお、本実施形態のメータ代用管２６は、上述したように、水道メータ取付位置に圧着固定式の支受機構１２、１３を具備するメータユニット２に取付けられているが、図示しないネジ固着式のメータユニットにも雄ねじ３１を螺着して取付け可能となっている。また、圧力測定口３８は、必ずしも分岐部３３に形成される必要はなく、本管部３２に形成されていてもよい。
【００３９】
圧力測定装置２８は、圧力センサ４５と圧力記録計４６とからなり、メータ代用管２６に接合されて圧力を高精度に検出可能になっている。この圧力測定装置２８は、例えば、数ｍｍＡｑ〜数十ｍｍＡｑの圧力を検出できるようになっている。
図５において、圧力センサ４５は、センサ本体４７とアダプタ部４８とを有している。センサ本体４７は、水圧を検知する受圧部４９を有し、この受圧部４９は、数ｍｍＡｑ〜数十ｍｍＡｑの圧力を高感度に検出可能になっている。センサ本体４７は、螺着によりアダプタ部４８に一体に接合され、アダプタ部４８は、袋ナット５０を介して分岐部３３に一体に取り付けられる。
【００４０】
圧力センサ４５を分岐部３３に取付けた場合、アダプタ部４８の先端側がニードル部材４０を押圧してこのニードル部材４０がスプリング部材３９の弾発力に抗して下方側に移動し、Ｏリング４１がシール弁座４２から離間して、圧力測定口３８と受圧部４９とが連通する。これにより、圧力センサ４５の内部に水が充満し、空気が残存しない状態で圧力測定口３８に取付けられる。
圧力記録計４６は、圧力センサ４５に接続され、圧力センサ４５が検知した圧力変動値を記録する。
【００４１】
一方、図６、７に示したチャッキ弁２２は、バルブ本体５１と、開閉用のボール弁体５２と、逆止弁部５３と、ばね５４とを有し、また、このうちのボール弁体５２から成る解除機構を有している。この解除機構５２は、チャッキ弁２２の一次側と二次側とを連通状態に解除できるようになっている。
【００４２】
チャッキ弁２２のバルブ本体５１は、ボデー５１ａとキャップ５１ｂとから成り、このボデー５１ａとキャップ５１ｂとの螺合により一体化される。キャップ５１ｂの内周側には、前記した逆止弁部５３とばね５４に加えて、ガイドリング５７と、バックアップリング５８とが装着される。逆止弁部５３は、略傘状の弁体部５３ａと、軸部５３ｂとを有し、この弁体部５３ａとガイドリング５７に形成された段状部５７ａとの間にばね５４が装着され、また、軸部５３ｂがガイドリング５７に形成されたガイド孔５７ｂに挿入された状態で装着される。逆止弁部５３とガイドリング５７とは、この状態でバックアップリング５８の内側に装着され、このバックアップリング５８に形成された装着筒５８ａがキャップ５１ｂの内周側の嵌着穴５１ｃに嵌着されてキャップ５１ｂに固定される。
この構造により、逆止弁部５３は、通常時において、図６に示すようにばね５４の弾発力でバックアップリング５８の弁座面５８ｂ方向に移動し、弁体部５３ａに装着されたＯリング５９が弁座面５８ｂに密接シールするようになっている。
【００４３】
また、バックアップリング５８の先方側とボデー５１ａ内には、一対のボールシート６０、６０が装着され、このボールシート６０、６０の間にボール弁体５２が配設される。ボール弁体５２は、ボデー５１ａとキャップ５１ｂとを一体化したときに、ボールシート６０、６０の間に挟持された状態でバルブ本体５１内に配設される。また、このボール弁体５２の上部側にはステム６２が取付けられ、このステム６２に取付けたハンドル６４を操作することによりボール弁体５２が回動自在になっている。
【００４４】
チャッキ弁２２は、図７に示すように、解除機構５２を半開状態、例えば、約４５度に回転操作したときにこのボール弁体５２のボール球面５２ａが逆止弁部５３に接触する。そして、この解除機構５２により、逆止弁部５３がばね５４の弾発力に抗して弁開方向に押圧されることでチャッキ弁２２の一次側と二次側とが連通状態に解除される。
【００４５】
このとき、ボール弁体６１が中間開度であることにより、チャッキ弁２２の一次側と二次側とが常に同圧に維持される。
一方、ボール弁体５２を全開状態に回転したときには、ボール球面５２ａが逆止弁部５３から離れ、この逆止弁部５３がばね５４により正常に逆止め作動するようになっている。
【００４６】
図２において、減圧弁６は、ユニオンナット６５によりエルボ１５ａに接続され、また、この減圧弁６内にはストレーナ６６が内蔵されている。
また、止水栓７は、ユニオンナット６７を介して減圧弁６よりも一次側に接続され、この止水栓７により、メータユニット２側への給水を停止できるようになっている。
【００４７】
なお、本発明の漏水検査システムでは、水道メータ取付け位置に接合したメータ代用管２６の流路を切換えて圧力測定するようにしているが、メータ代用管２６を切換えることなく止水栓７を閉止状態に切換え、この状態で止水栓７の一次側を圧力測定装置２８により圧力測定することもできる。この場合には、メータ代用管２６内部の三方弁３６を省略することが可能になり、また、メータ代用管２６のような分岐構造にすることなく通常の代用管によってメータユニット２の一次側流路と二次側流路とを接続することもできる。更に、何れの場合においても、例えば、逆止弁２１の弁体２３よりもやや１次側に図示しない開閉可能な分岐路を設け、この分岐路に対して圧力測定装置２８を接合することで給水ライン１の漏水検査を実施することもできる。止水栓７を閉止状態に切換えて圧力測定する際には、好ましくは減圧弁６の減圧構造を解除するようにする。
【００４８】
続いて、上述した漏水検査システムにおける漏水検査方法を述べる。
ここで、給水ライン１を漏水検査する工程には、配管敷設時（建築途中工程）における漏れ検査と、需要機器の接続後（最終検査工程）における漏水検査とに大別され、他の発明における漏水検査システムの漏水検査方法は、最終検査工程の検査に相当し、配管施工後における給水ライン１の漏れを検査するためのものである。説明上、先ず、建築途中工程における漏れ検査を述べた後に、最終検査工程の漏水検査方法を説明する。
【００４９】
建設途中工程の漏れ検査は、図８の配管敷設時において、隠蔽する配管の施工を行なった後に、給水ライン１の需要機器３が接続される末端部分をプラグ７０止めにより封水又は空気を封入し、また、給水配管１ａ、給湯配管１ｂの給湯器３ａに接続する部分を短絡管７１により短絡した状態で行う。本例では、建築途中工程の漏れ検査は、空気の封入によって実施するものとする。この場合、水を準備する必要がなく、簡単に漏れ検査を実施できる。この漏れ検査は、一般的に用いられる検査方法でよいため、その詳細を省略する。  
【００５０】
建設途中工程の漏れ検査で配管に異常の無いことが確認されたら、給水ライン１内の圧力を維持したまま壁や天井等の内装工事を実施する。内装工事は、事故等による漏水の無いように監視しながら進めるようにし、工事の完了まで給水ライン１内の圧力が保持されていたことを確認した上で、前記のプラグ７０や短絡管７１を取り外し、給水ライン１の末端に洗面台の水栓等の需要機器３や給湯器３ａを接続する。
【００５１】
需要機器３、給湯器３ａの接続後には、図１の状態となり、この給水ライン１の状態において最終検査工程の漏水検査を実施する。すなわち、最終検査工程の漏水検査は、樹脂管用ワンタッチ継手等を用いた、需要機器３、給湯器３ａの接続部位における漏水を検査するものである。
【００５２】
最終検査工程の漏水検査の実施の際には、図１において、先ず、給水ライン１の水道メータ取付位置にメータ代用管２６を接続する。この接続時には、メータ代用管２６の本管部３２の両接続部３１、３１を、一、二次側支受機構１２、１３の各受け面１６ａ、２０ａに載置し、この一、二次側支受機構１２、１３とメータ代用管本管部３２とを同軸上に配置させる。このとき、弁閉解除部２７は逆止弁２１の弁体２３から離間した状態になっている。
【００５３】
この状態から一次側支受機構１２の回転部材１７を回転させ、スライド部材１６をメータ代用管２６側に進出させる。これにより、スライド部材１６がメータ代用管２６を押圧して、このメータ代用管２６が二次側に移動して突起部２７が弁体２３を押圧する。この押圧により、弁体２３が開放状態に解除され、回転部材１７の締付け後に一、二次側支受機構１２、１３内の流路とメータ代用管２６内の流路とが連通する。この連通により、圧力センサ４５による圧力測定時には弁体２３の二次側の圧力変化も検知され、給水ライン１の全体に渡って数ｍｍＡｑ〜数十ｍｍＡｑ程度の極微量の圧力変化を検知することが可能となる。
【００５４】
一方において、図７に示すように、給湯器３ａの一次側に設けられたチャッキ弁２２のボール弁体５２を回転操作して開放状態に解除する。このようにして逆止弁部５３を開放することにより、給水ライン１と給湯器３ａとが連通し、この給湯器３ａも含めた漏れの検知が可能になる。
このとき、上記のように突起部２７により逆止弁２１の弁体２３も解除されているため、給水ライン１内に残留する空気を抜くためのこの充水工程で、需要機器３を開閉する際に発生する水撃圧力が逆止弁２１の二次側に封入されることが無い。
【００５５】
次いで、図３の状態に三方弁３６のボール３５を操作して、給水ライン１に公共水道管や集合住宅等の建築物に予め備わっている図示しない水道管から水道水圧を供給して充水する。この充水は、検査用のポンプを使用することなく０．２〜０．３ＭＰａ程度の給水圧力によって行ない、給水ライン１内、及び需要機器３、給湯器３ａの内部にエアが残留しないように十分に空気抜きを行ないながら通水・排水する。その際、本実施形態のように減圧弁６を設置した場合にも、この減圧弁６を通じて上記の給水圧力で充水するようにする。
【００５６】
充水後には、所定期間、この充水状態を保持させる。本実施形態では、止水栓７と三方弁３６とを開状態のままで最低１日間程度放置し、給水ラインを構成する管のクリープ変形や、管及び流体（水）の温度を安定化させ、給水や温度変化によって発生させた気泡を最小化させる。マンション等の集合住宅の場合、１フロアごとに漏水検査を実施するようにし、検査時には、同じフロアの住戸も同様に充水して準備する。
【００５７】
所定期間経過後、圧力センサ４５をメータ代用管２６に接続する。圧力センサ４５を接続する際には、上述したように受圧部４９を水で満たし、エアを巻き込まないように水と一緒にエアを排出しながら、袋ナット５０をメータ代用管２６に螺着して接続する。続いて、圧力センサ４５の図示しない信号線を圧力記録計４６に接続する。以上により、圧力センサ４５と圧力記録計４６とからなる圧力測定装置２８がメータ代用管２６に接合される。
【００５８】
なお、メータ代用管２６は、圧力センサ４５を取付けた状態で前述した建築途中工程の空気による漏れ検査を実施することもできる。この場合、漏れ検査の実施前にメータユニット２を給水ライン１に取付け、このメータユニット２に、最終検査工程の場合と同様にメータ代用管２６を接合した状態にする。
また、メータ代用管２６と圧力センサ４５とは袋ナット５０による接続以外にも、例えば、ワンタッチで着脱可能な継手構造によって接続することも可能である。この場合には、メータ代用管と圧力センサとの着脱が簡単になり、漏水検査の準備にかかる時間を短くできる。
【００５９】
次に、図４の状態に三方弁３６のボール３５を弁閉状態に操作してこの三方弁３６を介してメータ代用管２６の一次側の給水圧力を遮断し、かつ、メータ代用管２６の二次側の給水ライン１を分岐部３３に連通して所定時間の圧力信号の測定を実施する。これにより、減圧弁６側からの圧力供給の影響を受けること無く圧力信号を記録することが可能になる。本実施形態では、圧力信号の測定時間を１０分間としている。このとき、水滴１滴程度の漏れであっても、この漏れが圧力測定装置２８により給水ライン１内の数ｍｍＡｑの圧力降下として検出されて記録される。そして、圧力降下が観察されなかった場合には、給水ライン１の「漏れ無し」として判定し、合格とする。一方、検査対象とする給水ライン１配管の体積と許容漏れ量から事前に設定した許容圧力降下量に対して、測定した圧力降下が大きい場合には、「漏れ有り」として判定する。
【００６０】
圧力測定による漏水検査を終了する場合には、メータ代用管２６を介して給水ライン１から排水した後に、メータユニット２からメータ代用管２６を取り外す。メータ代用管２６は、回転部材１７を装着時と逆方向に回転させてスライド部材１６を後退させることで容易に取り外しできる。このとき、弁体２３がスプリング２４の弾発力により自動復帰することで、逆止弁２１は通常の逆止め作動の状態に戻る。
一方、給湯器３ａ側においては、ボール弁体５２を全開状態まで回転操作することにより、逆止弁部５３がばね５４の弾発力により自動復帰して、チャッキ弁２２が通常の逆止め作動の状態に戻るようになっている。
【００６１】
次に、本発明の樹脂製給水ラインの漏水検査システムと漏水検査方法の上記実施形態における作用を説明する。
本発明の漏水検査システムは、バルブ付きメータ代用管２６を水道メータ取付け位置であるメータユニット２に接合し、メータ代用管２６に圧力測定装置２８を設けているので、給水ライン１を通して水道水圧を供給して圧力測定できる。このため、検査用ポンプを別に準備することなく、また、検査用の水や検査時の養生等も不要になることで、簡略化した設備により１戸当たりの検査時間を短縮しながら漏水検査を実施できる。
【００６２】
しかも、上記のように水道水圧を供給していることで、圧力測定前に予め各戸にメータ代用管２６を接合した上で、給水ライン１に充水してエア抜きなどの準備を行なえる。これにより、１セットの圧力測定装置２８を用いてマンション等の同一フロア内の各戸を順次検査して短時間で１フロアの検査を終えることが可能になる。
【００６３】
圧力測定時には、所定時間が経過して安定した状態にある給水ライン１内の圧力をメータ代用管２６によって圧力センサ４５側に切換えるようにしていることで、圧力センサ４５によって正確な圧力を測定できる。そして、圧力は、１０分程度の短時間で測定できるため、気温や水温の半径に伴う圧力変化が発生し難く、また、低圧の供給圧力により検査するため給水ライン１を構成する樹脂管のクリープ変形の影響を受けることなく正確に漏水検査を実施できる。
【００６４】
また、メータ代用管２６に弁閉解除部２７、給湯器３ａの一次側にチャッキ弁２２を設けているので、給水配管１ａと給湯配管１ｂとを開放して給水ライン１全体を連通状態に確保でき、給水ライン１の流路が分断されたり、検査前の充水時の水撃圧力が給水ライン１内に封入されたりすることが防がれる。これにより、一度の測定によって給水ライン１全体の正確な漏れ検査を実施できる。
【実施例】
【００６５】
次に、本発明における樹脂製給水ラインの漏水検査システムとその漏水検査方法における実施例を説明する。
上述した樹脂製給水ラインの漏水検査方法において、許容圧力降下量の判定の一例として以下のように設定した。
漏水検査対象は、次の条件とした。
検査対象の給水ラインの体積：
給水側元配管  呼び径16Ａ  長さ3ｍの場合、0.8×0.8×π×300≒603cc
水栓側給水管  呼び径13Ａ  長さ30ｍの場合、0.65×0.65×π×3000≒3980cc
給湯側元配管  呼び径16Ａ  長さ3ｍの場合、0.8×0.8×π×300≒603cc
水栓側給湯管  呼び径13Ａ  長さ20ｍの場合、0.65×0.65×π×2000≒2653cc
バス用混合栓の容積：200cc
給湯器の容積：500cc
また、圧力測定装置として、株式会社ハジメの「ビックリくん２  ＨＷＲ−５０１（又は、ビックリくん３  ＨＷＲ−７０１）」を用いた。
以上の条件下において、単水栓などの需要機器の体積は、簡素化のために上記の配管容積に含まれるとみなし、検査対象の配管の総容積は、603＋3980＋603＋2653＋200＋500＝8539ccとなる。
また、漏れ量を直径2ｍｍの水滴まで許容すると、この2ｍｍ水滴の体積ｋはπ×0.13×4/3＝0.0042ccとなる。
そして、20℃１気圧における水の体積弾性率を2.06×109Ｐａ、配管が剛性であると仮定すると、
1／ｋ＝１／Ｖ・ｄｖ/ｄｐより、
ｄｐ＝0.0042／8539・2.06×109Ｐａ
＝0.00101ＭＰａ
〜10ｃｍＡｑ
つまり、この条件下においては、１０ｃｍＡｑ以上の圧力低下が見られた場合には不合格、それ以下の場合には合格と判定する。このとき、「１０ｃｍＡｑ以上の圧力低下」は、あくまでも合否の判定基準の一例であり、この数値に拘ることはない。例えば、上記条件下においては、判定基準を６ｃｍＡｑ以上とすることがよく、この場合、より厳しい判定基準となる。
【符号の説明】
【００６６】
１  給水ライン
２  メータユニット
３  需要機器
３ａ  給湯器
１２  一次側支受機構
１３  二次側支受機構
２１  逆止弁
２２  チャッキ弁
２６  メータ代用管
２７  突起部（弁閉解除部）
２８  圧力測定装置
３４  Ｔポート
３６  三方弁
３８  圧力測定口
５２  ボール弁体（解除機構）
５２ａ  ボール球面
５３  逆止弁部
【図１】
2010210551.tif 000003
【図２】
2010210551.tif 000004
【図３】
2010210551.tif 000005
【図４】
2010210551.tif 000006
【図５】
2010210551.tif 000007
【図６】
2010210551.tif 000008
【図７】
2010210551.tif 000009
【図８】
2010210551.tif 000010